(57)【要約】  ２つの回動軸（６）の周りに相対的に回動可能なブラケット（１）を有す装置は縦構造部材を相対的に位置決めするために役立つものであり、両ブラケット（１）のそれぞれが２つのブラケットアーム（２）を含み、そのそれぞれが、その間に位置するブラケット開口部（３）を形作り、ブラケット開口部（３）は前記ブラケット（１）の弾性変形により、前記ブラケット開口部（３）は、選択に応じて、狭めるか、または広げることができるため、ブラケット開口部（３）の中に導入された縦構造部材が仮固定できる。両ブラケット（１）は前記回動軸（６）にブラケットアーム（２）が横断する同軸の孔（４）を有す。両ブラケット（１）は１本の軸（７）上に支持されていて、両ブラケット（１）の、回動軸（６）周りの回動の可能性を、選択に応じて、阻止する手段であり、およびそれぞれのブラケット（１）のブラケットアーム（２）がブラケット開口部（３）に導入された縦部材を加圧するための好適である阻止手段（８）が備えてある。両ブラケット（１）の１つがＳ字状に形成にされ、その２つが直径方向に対角に位置するブラケット開口部（３）を位置決めする。【選択図】  図１
2007527980.tif 000002
【特許請求の範囲】
【請求項１】
回動軸（６）の周りを相対して回動可能な２つのブラケット（１）を含む、縦構造部材を相対的に位置決めする装置であって、
Ａ）前記両ブラケット（１）それぞれが、少なくとも２つのブラケットアーム（２）を含み、
Ｂ）前記両ブラケットアーム（２）それぞれが、その間に位置するブラケット開口部（３）を形作り、
Ｃ）前記ブラケット（１）の弾性変形により、前記ブラケット開口部（３）は、選択に応じて、狭めるか、または広げることができるため、前記ブラケット開口部（３）の中に導入された縦構造部材が仮固定でき、
Ｄ）前記両ブラケット（１）は前記回動軸（６）に前記ブラケットアーム（２）が横断する同軸の孔（４）を有し、
Ｅ）前記両ブラケット（１）は１本の軸（７）上に支持されていて、
Ｆ）前記両ブラケット（１）の回動軸（６）周りの回動の可能性を、選択に応じて阻止する手段であり、およびそれぞれの前記ブラケット（１）の前記ブラケットアーム（２）が前記ブラケット開口部（３）に導入された縦構造部材を加圧するための好適な阻止手段（８）を備え、
Ｇ）前記両ブラケット（１）の少なくともその１つがＳ字状に形成され、その２つが直径方向に対角に位置する前記ブラケット開口部（３）を形作ることを特徴とする縦構造部材を相対的に位置決めする装置。
【請求項２】
前記両ブラケット（１）のすくなくともその１つが、前記回動軸（６）に平行に通る１つまたは複数の孔（２５）を有し、その中を嵌合ピン（２６）が回動軸（６）に平行に移動可能であることを特徴とする請求項１記載の装置。
【請求項３】
前記両ブラケット（１）の前記孔（４）が、少なくとも部分的に前記軸（７）より大きな直径を有すことを特徴とする請求項１または２記載の装置。
【請求項４】
前記ブラケットアーム（２）が１つの回動点の周りに、ペンチに似た様式で開いたり閉じたりできるように互いに結合していることを特徴とする請求項３記載の装置。
【請求項５】
前記ブラケット（１）が１部品から形成される請求項１から４のいずれかに記載の装置。
【請求項６】
前記ブラケット開口部（３）が狭部（１０）を有すことを特徴とする請求項１から５のいずれかに記載の装置。
【請求項７】
前記ブラケット開口部（３）が外に向かって拡部（１１）を有すことを特徴とする請求項１から６のいずれかに記載の装置。
【請求項８】
前記ブラケット開口部（３）がチャンネル状に形成され、１つのチャンネル軸（２２）を有し、前記ブラケット開口部（３）の内の少なくとも１つが、そのチャンネル軸（２２）に直角の断面を有し、断面に隣接する前記ブラケットアーム（２）の境界が、様々な直径を持つ前後に配置された複数の円弧（１９）を有することを特徴とする請求項１から７のいずれかに記載の装置。
【請求項９】
前記両ブラケット（１）の互いに隣り合う前記ブラケットアーム（２）が、互いに噛合する、回動軸（６）に同軸の円錐状の突起（３０）および円錐状の窪み（３１）を有すことを特徴とする請求項１から８のいずれかに記載の装置。
【請求項１０】
前記円錐状の突起（３０）および前記窪み（３１）またはいずれか一方の表面が粗化されていることを特徴とする請求項９記載の装置。
【請求項１１】
前記孔（４）の軸（７）が遊びを有すことを特徴とする請求項１から１０のいずれかに記載の装置。
【請求項１２】
前記孔（４）がその外側の出口に回動軸（６）に同軸の、凹球面状の表面（３３）を有す孔セグメント（２９）を含むことを特徴とする請求項１から１１のいずれかに記載の装置。
【請求項１３】
前記軸（７）が、孔セグメント（２９）の凹球面状の表面（３３）を補完する凸球面状の表面（３２）を持つ、より大きな直径の頭部（１８）を有すことを特徴とする請求項１２記載の装置。
【請求項１４】
前記阻止手段（８）が、孔セグメント（２９）の凹球面状の表面（３３）を補完する凸球面状の表面（３２）を持つ中間部品（２８）を有すことを特徴とする請求項１２または１３記載の装置。
【請求項１５】
縦構造部材を相対的に位置決めする装置のためのブラケット（１）であって、
Ａ）前記ブラケット（１）がＳ字状に形成されているため、３つのブラケットアーム（２）、および縦構造部材の収容のための２つの直径方向に対角に位置するブラケット開口部（３）が形作られ、
Ｂ）前記ブラケット開口部（３）が、前記ブラケット（１）の弾性変形によって、選択に応じて、狭めるか、または広げることができ、
Ｃ）前記ブラケット（１）が、前記ブラケットアーム（２）が横断する回動軸（６）に同軸の孔（４）を有し、
Ｄ）前記ブラケット（１）が、その孔（４）を手段として軸（７）に支持され得ることを特徴とするブラケット。
【発明の詳細な説明】
【技術分野】
【０００１】
本発明は、請求項１の上位概念に基づく、縦構造部材を相対的に位置決めする装置に関する。
【背景技術】
【０００２】
このような装置は、特に骨組み、架台、棒やぐら、三次元枠組み構造、および外科的固定装置のための固定手段として好適である。
特許文献１から、４つの個別の、１軸に支持されたアームが２つの開口部を形作る装置が周知である。その中に固定棒または係入コネクタを対のアーム間に配置した渦巻きばねの力に抗して導入できる。この周知の装置の欠点は、部品の数が多いことと柔軟性が少ないこと、さらに開口部に導入する構造部材の形状に対する適応性の少ないことである。
【０００３】
特許文献２から、２つのブラケットを持つ装置が周知であるが、もっともこれは外に対する固定を目的としていない。この周知の装置は、縦梁の横方向の係合を可能にするが、両ブラケットの１方のみの係合に限る。この係合はブラケットの弾性変形によるものではなく、両ブラケットに配置されたばねの圧力に抗するものでもない。これはブラケット開口部に配置された個別のばねを必要とする。スイベルジョントとして作用する遷移部（支点）がブラケット開口部と固定端との間に装備されるため、固定端が広がった場合でも−レバー９０を使うことによって−ブラケット開口部が閉じて、その中にある縦梁を挟着する。その目的のためブラケットはＨ形状になっている。ここで支点はブラケット開口部と固定端の間にある。この周知の装置のさらなる欠点は、
− 部品の数が多い、
− 組み立てが複雑で費用がかかること、
− 洗浄が複雑で困難なこと
である。特定の直径の棒材以外は収容できない。
【０００４】
特許文献３から、対になった装置が周知である。第一の実施形態は２部品からなるブラケットである。第二の実施形態は１部品の、弾性的に撓むブラケットであり、中心軸に完全に同軸に加圧されるように造られている。この目的のためブラケットは中心軸上で遊びなく位置決めされている。
【特許文献１】ＥＰ-Ｂ０ ７００ ６６４
【特許文献２】ＵＳ ５,７２７, ８９９ ＤＯＢＲＯＶＯＬＮＹ
【特許文献３】ＵＳ ２００２／０１５１８９２ＷＡＬＵＬＩＫ
【発明の開示】
【０００５】
本発明はここで是正を講じるものである。本発明は、縦構造部材を相対的に位置決めする装置であり、単純なそして最小限の部品から構成され、収容および相対して位置決めする構造部材に関して大きな柔軟性を有す装置を造る課題を基礎としている。
本発明は請求項１の特徴を有す装置および縦構造部材を相対的に位置決めする装置のための請求項１５の特徴を有すブラケットを以って、与えられた課題を解決する。
【０００６】
本発明によって達成された本質的な長所は、Ｓ字状の形態により、少なくとも両ブラケットの１つが、一方で、わずらわしい個々のブラケットがなくなり、他方で、アームの間に絡まりかねない渦巻きばねを必要としないことと見ることができる。それに加え、発明による構造は技術の水準と比較して、ブラケット開口部に導入する直径が大きな範囲内で変化できる構造部材に関して大きな柔軟性を有す。これによってただ１つの装置を使って、多数、様々なサイズの構造部材を互いに位置決めすることが可能になる。他方において、技術の水準では構造部材と固定装置は上下に調整しなければならないため、すべての適用ケースを征服するには様々なサイズの固定装置が必要になる。
【０００７】
特別な実施形態において、両ブラケットの少なくとも１つが、回動軸に平行な１つまたは複数の孔を有す。それを通して嵌合ピンは回動軸に平行に移動可能である。この嵌合ピンは、直系方向に相対するブラケット開口部が再び開くことができるように、それを完全に閉じないようにする役割を持つ。
それ以外の実施形態においては、両ブラケットの孔は少なくとも部分的に軸より大きな直径を有す。それによってブラケット開口部を狭めるか、または広げるために個々のブラケットアームが軸に対して揺動することができる。
それ以外の実施形態においては、ブラケットアームは、回動軸周りにブラケットアームをペンチに似た様式で開いたり閉じたりできるように互いに結合している。
優先的には、ブラケットは１部品から造られている。２部品から成る実施形態に対して、部品が少ないこと、およびブラケット自体に弾力性があるため、特別にばね要素が必要ないという長所がある。
【０００８】
それ以外の実施形態においては、ブラケット開口部が狭部を有す。
それにより、第一段階において、縦構造部材、例えば棒材、縦梁、あるいはねじにより、外側を狭めたブラケット開口部をブラケットの弾性に抗して広げることができるため、構造部材を側面からブラケット開口部に導入できる。内部で広げられたブラケット開口部は、導入された構造部材の周辺をブラケットの弾性により自動的に閉じる、そしてブラケット開口部内の構造部材の第一の仮固定を保証する。第二段階において、両ブラケットの阻止手段によって両ブラケットが同時に固定され、そして最終的にその中で仮固定された構造部材に固定される。
【０００９】
それ以外の実施形態においては、ブラケット開口部は外側に向かって拡部を有す。それによって縦構造部材はブラケットの弾性に抗して、さらに単純にブラケット開口部を加圧する。
それ以外の実施形態においては、ブラケット開口部はチャンネル状に形成されていてチャンネル軸を有す。少なくともブラケット開口部の一つはそのチャンネル軸に直角な横断面を有す。それに隣接するブラケットアームの境界が、様々な直径を持つ前後に配置された複数の円弧を有す。このような実施形態の長所は、そのブラケット開口部に様々の外径を持つピンを挟着できることである。
【００１０】
それ以外の実施形態においては、両ブラケットの隣接したブラケットアームは互いに噛合しながら、回動軸に同軸の円錐状の突起、それを補完する円錐状の窪みを有す。それにより、装置がブロックされた際に両円錐状の要素が互いに押し付け合い、そこで生じる楔入により、両ブラケットの回動軸周りの相対回動が阻止される。
優先的には、両ブラケットの相対回動を阻止する両円錐の形状の楔入による増強を維持するため、円錐状の突起および円錐状の窪み、またはいずれか一方の表面は粗化される。
接触面の粗化の替わりに、相互に挟入も可能な表面の歯状加工または円錐状歯状加工が可能である。
【００１１】
それ以外の実施形態においては、軸は孔の中で、棒が挟着する際に、軸によってブラケットアームが回動軸に対して傾斜しないだけの遊びを有す。
それ以外の実施形態においては、外側に向いた出口の孔は、回動軸に同軸の凹球面状の表面を有す孔セグメントを含む。優先的には、軸は穴セグメントの凹球面状の表面を補完する凸球面上の表面を持ち、より大きな直径の大きな頭部を有す。
それ以外の実施形態においては、阻止手段は孔セグメントの凹球面を補完する凸球面状の表面を持つ中間部品を有す。それにより軸と孔の傾斜姿勢が修正される。
【００１２】
本発明と本発明の再形成について、以降に多くの実施例を部分的に図解により詳細に説明する。
図１は、本発明による装置の概観図である。
図２は、図１に基づく装置の側面図である。
図３は、本発明による変形例装置の縦断面図である。
【発明を実施するための最良の形態】
【００１３】
図１から３は、回動軸６の周りを相対して回動可能なブラケット１を含む実施形態である。設備に２つ一緒に設置可能なブラケット１には回動軸６に同軸に孔４が貫通する。孔４は阻止手段８に接続可能な軸７の収容に好適である。孔４と軸７の直径は、軸７が孔４で遊びを有すように形成されている。
上ブラケット１ａはＳ字状に形成されている、そして回動軸６に直角に配置されたブラケットアーム２を含む。そこで軸方向外側に位置するブラケットアーム２ａと中間ブラケット２ｃ、および下ブラケット１ｂに隣接し、内部のブラケットアーム２ｂと中間ブラケット２ｃがそれぞれの間に棒材２０の収容のためのブラケット開口部３ａ、３ｂを有す。ブラケット開口部３ａ、３ｂはチャンネル状に形成されている、そして平行な回動軸６に直角なチャンネル軸２２ａ、２２ｂに有す。
下ブラケット１ｂは軸方向外側に位置するブラケットアーム２ｄおよび上ブラケット１ａに隣接し、内部のブラケットアーム２ｅを含む。下ブラケット１ｂはブラケットアーム２ｄ、２ｅ間は、ただ１つのブラケット開口部３ｃを有す。前記ブラケット開口部３ｃは同様に棒材２０の収容のために好適で、回動軸６に直角なチャンネル軸２２ｃを持つチャンネルを有す。
【００１４】
ブラケット開口部３ａ、３ｂ、３ｃはすべて、当該のブラケット１ａ、１ｂの弾性変形によって拡げるか、または狭めることができる。ブラケットアーム２の弾性は、それぞれ２つのブラケット２に保持されたブラケット１縦ブリッジ１３の薄い形態によって達成される。
さらに、すべてのブラケット開口部３ａ、３ｂ、３ｃは、その回動軸６から離れた開口部に、それぞれ狭部１０を有す。周辺には、ブラケット開口部３ａ、３ｂ、３ｃは、当該のブラケット開口部３ａ、３ｂ、３ｃに棒材２０を簡単に導入するための拡部１１を持つ。
【００１５】
図２に示す様に、軸７はその第一終端１４に雄ねじ山１６を有し、それによって阻止手段８としてナット１７が螺嵌可能である。その第二終端１５には、より大きな直径を有す頭部１８を持つ軸７が設けられ、下ブラケット１ｂの外側に位置するブラケットアーム２ｄに配置されている。ナット１７は螺入されることにより、上ブラケット１ａの外側に位置するブラケットアーム２ａの表面に対し加圧する、一方で軸７の第二終端１５の頭部１８は、下ブラケット１ｂの外側に位置するブラケットアーム２ｄの外表面に対し加圧する。上ブラケット１ａのブラケット開口部３ｂの１つは、そのチャンネル軸２２ｂに直角の断面を有し、そのブラケットアーム２ａ、２ｃとの境界にはそれぞれ３つの、様々の直径の円弧１９を有すため、前記ブラケット開口部３ｂには様々な直径の円柱状の棒材２０が収容できる。
【００１６】
図３に示す様に、互いに隣接した両ブラケット１ａ、１ｂのブラケットアーム２ｂ、２ｅは、互いに噛合し合った、回動軸６に同軸、円錐状の突起３０、および回動軸６に同軸、円錐状の窪み３１を有す。ここで円錐状の突起３０は上ブラケット１ａの下ブラケット１ｂに隣接する表面に配置され、一方それを補完する円錐状の窪み３１は下ブラケット１ｂのブラケット１ａに隣接する表面に配置されている。円錐状の突起３０および円錐状の窪み３１の、互いの接触面は粗化して、阻止手段８が固着した場合、両ブラケット１ａ、１ｂの回動軸６周り相対回動を阻止させることができる。さらに両ブラケット１ａ、１ｂを貫通する孔４は軸方向外側に位置する出口に凹球面表面３３を有す孔セグメント２９を含む。前記孔セグメント２９を補完するように軸７の第二終端１５の頭部１８が形成されている、ならびに同軸に、ナット１７と上ブラケット１ａとの間に配置された中間部品２８、すなわち頭部１８は、下ブラケット１ｂに向かって凸球面状表面３２を有し、中間部品２８は上ブラケット１ａに向かって同様に凸球面状表面３２を有す。
【００１７】
同様に図３に示す様に、嵌合ピン２６が上ブラケット１ａにある。前記嵌合ピン２６は、上ブラケット１の内部のブラケットアーム２ｂ内の回動軸６に平行な孔２５に螺合可能であって、ブラケット開口部３ａ、３ｂの加圧を限定するように調整できる。嵌合ピン２６は、第一の嵌合ピン２６ａの前端３４ａが内部のブラケットアーム２ｂに隣接する中間ブラケットアーム２ｃの表面に届くまで、そして第二の嵌合ピン２６ｂの前端３４ｂが中間のブラケットアーム２ｃに隣接する外側に向いたブラケットアーム２ａの表面に届くまで螺入される。
【図面の簡単な説明】
【００１８】
【図１】本発明による装置の概観図である。
【図２】図１に基づく装置の側面図である。
【図３】本発明による変形例装置の縦断面図である。
【符号の説明】
【００１９】
１  ブラケット  ２  ブラケットアーム  ３  ブラケット開口部
４  孔  ６  回動軸  ７  軸  ８  阻止手段  １０  狭部  １１  拡部
【図１】
2007527980.tif 000003
【図２】
2007527980.tif 000004
【図３】
2007527980.tif 000005
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
回動軸（６）の周りを相対して回動可能な２つのブラケット（１）を含む、縦構造部材を相対的に位置決めする装置であって、
Ａ）前記両ブラケット（１）それぞれが、少なくとも２つのブラケットアーム（２）を含み、
Ｂ）前記両ブラケットアーム（２）それぞれが、その間に位置するブラケット開口部（３）を形作り、
Ｃ）前記ブラケット（１）の弾性変形により、前記ブラケット開口部（３）は、選択に応じて、狭めるか、または広げることができるため、前記ブラケット開口部（３）の中に導入された縦構造部材が仮固定でき、
Ｄ）前記両ブラケット（１）は前記回動軸（６）に前記ブラケットアーム（２）が横断する同軸の孔（４）を有し、
Ｅ）前記両ブラケット（１）は１本の軸（７）上に支持されていて、
Ｆ）前記両ブラケット（１）の回動軸（６）周りの回動の可能性を、選択に応じて阻止する手段であり、およびそれぞれの前記ブラケット（１）の前記ブラケットアーム（２）が前記ブラケット開口部（３）に導入された縦構造部材を加圧するための好適な阻止手段（８）を備え、
Ｇ）前記両ブラケット（１）の少なくともその１つがＳ字状に形成され、その２つが直径方向に対角に位置する前記ブラケット開口部（３）を形作ることを特徴とする縦構造部材を相対的に位置決めする装置。
【請求項２】
前記両ブラケット（１）のすくなくともその１つが、前記回動軸（６）に平行に通る１つまたは複数の孔（２５）を有し、その中を嵌合ピン（２６）が回動軸（６）に平行に移動可能であることを特徴とする請求項１記載の装置。
【請求項３】
前記両ブラケット（１）の前記孔（４）が、少なくとも部分的に前記軸（７）より大きな直径を有すことを特徴とする請求項１または２記載の装置。
【請求項４】
前記ブラケットアーム（２）が１つの回動点の周りに、ペンチに似た様式で開いたり閉じたりできるように互いに結合していることを特徴とする請求項３記載の装置。
【請求項５】
前記ブラケット（１）が１部品から形成される請求項１から４のいずれかに記載の装置。
【請求項６】
前記ブラケット開口部（３）が狭部（１０）を有すことを特徴とする請求項１から５のいずれかに記載の装置。
【請求項７】
前記ブラケット開口部（３）が外に向かって拡部（１１）を有すことを特徴とする請求項１から６のいずれかに記載の装置。
【請求項８】
前記ブラケット開口部（３）がチャンネル状に形成され、１つのチャンネル軸（２２）を有し、前記ブラケット開口部（３）の内の少なくとも１つが、そのチャンネル軸（２２）に直角の断面を有し、断面に隣接する前記ブラケットアーム（２）の境界が、様々な直径を持つ前後に配置された複数の円弧（１９）を有することを特徴とする請求項１から７のいずれかに記載の装置。
【請求項９】
前記両ブラケット（１）の互いに隣り合う前記ブラケットアーム（２）が、互いに噛合する、回動軸（６）に同軸の円錐状の突起（３０）および円錐状の窪み（３１）を有すことを特徴とする請求項１から８のいずれかに記載の装置。
【請求項１０】
前記円錐状の突起（３０）および前記窪み（３１）またはいずれか一方の表面が粗化されていることを特徴とする請求項９記載の装置。
【請求項１１】
前記孔（４）の軸（７）が遊びを有すことを特徴とする請求項１から１０のいずれかに記載の装置。
【請求項１２】
前記孔（４）がその外側の出口に回動軸（６）に同軸の、凹球面状の表面（３３）を有す孔セグメント（２９）を含むことを特徴とする請求項１から１１のいずれかに記載の装置。
【請求項１３】
前記軸（７）が、孔セグメント（２９）の凹球面状の表面（３３）を補完する凸球面状の表面（３２）を持つ、より大きな直径の頭部（１８）を有すことを特徴とする請求項１２記載の装置。
【請求項１４】
前記阻止手段（８）が、孔セグメント（２９）の凹球面状の表面（３３）を補完する凸球面状の表面（３２）を持つ中間部品（２８）を有すことを特徴とする請求項１２または１３記載の装置。
【請求項１５】
縦構造部材を相対的に位置決めする装置のためのブラケット（１）であって、
Ａ）前記ブラケット（１）がＳ字状に形成されているため、３つのブラケットアーム（２）、および縦構造部材の収容のための２つの直径方向に対角に位置するブラケット開口部（３）が形作られ、
Ｂ）前記ブラケット開口部（３）が、前記ブラケット（１）の弾性変形によって、選択に応じて、狭めるか、または広げることができ、
Ｃ）前記ブラケット（１）が、３つの前記ブラケットアーム（２）が横断する回動軸（６）に同軸の孔（４）を示す前記回転軸（６）について回転可能であり、
Ｄ）前記ブラケット（１）が、その孔（４）を手段として軸（７）に支持され得ることを特徴とするブラケット。
【国際調査報告】
2007527980.tif 000006
2007527980.tif 000007
2007527980.tif 000008
2007527980.tif 000009
2007527980.tif 000010
2007527980.tif 000011